(57)【要約】【課題】通信機器と写真シール作成装置との間の通信を可能にするための動作をユーザに行わせることなく、通信機器との間での通信が可能な写真シール作成装置を実現する。【解決手段】写真シール作成装置には、通信可能な範囲内に近づいた通信機器との間でユーザによるペアリング操作を必要とすることなく自動的に通信する機能を備えた無線通信ユニット（１５０Ｂ）が取り付けられているおり、無線通信ユニット（１５０Ｂ）を中心とし、無線通信ユニット（１５０Ｂ）の仕様上の最大通信距離を半径とする範囲内に、写真シール作成装置全体が含まれている。【選択図】図５
2015127722.tif 000002
【特許請求の範囲】
【請求項１】
通信可能な範囲内に近づいた通信機器との間でユーザによるペアリング操作を必要とすることなく自動的に通信する機能を備えた近距離無線通信ユニットが取り付けられた画像生成装置であって、
上記近距離無線通信ユニットを中心とし、上記近距離無線通信ユニットの仕様上の最大通信距離を半径とする範囲内に、上記画像生成装置全体が含まれている、ことを特徴とする画像生成装置。
【請求項２】
上記近距離無線通信ユニットを介して、上記通信機器から、当該通信機器のユーザを識別する識別情報を取得する取得手段を備えている、ことを特徴とする請求項１に記載の画像生成装置。
【請求項３】
撮影スペースを含む１つ以上のスペースが設けられており、
上記１つ以上のスペースのうちの或るスペースに上記近距離無線通信ユニットが取り付けられており、
当該近距離無線通信ユニットを介して、当該スペース内に位置するユーザの通信機器に向けて、当該スペースに居るユーザに対するガイド情報を送信するガイド情報送信手段を備えている、ことを特徴とする、請求項１または２に記載の画像生成装置。
【請求項４】
上記撮影スペースには上記近距離無線通信ユニットが取り付けられており、
上記ガイド情報送信手段は、上記画像生成装置が上記ユーザを被写体とする撮影処理を完了する前に、撮影方法または撮影ポーズに関するガイド情報を送信する、ことを特徴とする請求項３に記載の画像生成装置。
【請求項５】
上記ガイド情報送信手段は、上記近距離無線通信ユニットが上記通信機器を検出してから一定時間が経過するまでに上記画像生成装置が料金の投入を認識しなかった場合、料金の投入を促すための情報を上記ガイド情報として送信する、ことを特徴とする請求項３または４に記載の画像生成装置。
【請求項６】
撮影スペースと複数の編集スペースとが設けられており、
上記複数の編集スペースの各々について当該編集スペースが空いているか否かを判定する判定手段と、
上記判定手段により空いていると判定された１つ以上の編集スペースの中から、上記撮影スペースに居るユーザに利用させる編集スペースを自動的に選択する選択手段と、を更に備え、
上記ガイド情報送信手段は、上記画像生成装置が上記ユーザを被写体とする撮影処理を完了した後に、上記選択手段によって選択された編集スペースに当該ユーザを移動させるための情報を上記ガイド情報として送信する、ことを特徴とする請求項３から５のいずれか１項に記載の画像生成装置。
【請求項７】
上記画像生成装置がユーザを被写体とする撮影処理を完了した後に、当該被写体の像を含む撮影画像を、当該近距離無線通信ユニットを介して上記ユーザの通信機器に向けて送信する画像送信手段を備えている、ことを特徴とする請求項１から６の何れか１項に記載の画像生成装置。
【請求項８】
上記取得手段が取得した識別情報を上記画像生成装置に設けられている表示画面に表示する識別情報表示手段を更に備えている、ことを特徴とする請求項２に記載の画像生成装置。
【請求項９】
上記識別情報表示手段は、上記画像生成装置が複数の上記通信機器を検出した場合に、上記近距離無線通信ユニットが感知した電波の強度が相対的に高い通信機器のユーザを識別する識別情報を、上記強度が相対的に低い通信機器のユーザを識別する識別情報よりも優先的に上記表示画面に表示する、ことを特徴とする請求項８に記載の画像生成装置。
【請求項１０】
複数の撮影コースの中から利用する撮影コースを選択する操作を受け付ける操作受付手段と、
上記操作受付手段が上記操作を受け付けた後に、上記通信機器に対し、上記通信機器に保存されている上記複数の撮影コースの各々の案内情報のうち選択された撮影コース以外の撮影コースの案内情報を表示するように指示する指示手段と、を備えていることを特徴とする請求項１から９のいずれか１項に記載の画像生成装置。
【請求項１１】
複数の上記近距離無線通信ユニットが取り付けられており、
上記複数の近距離無線通信ユニットの各々が感知した通信機器からの電波の強度に基づいて、当該通信機器の位置を特定する位置特定手段を備えている、ことを特徴とする請求項１に記載の画像生成装置。
【請求項１２】
上記複数の近距離無線通信ユニットが撮影スペースに取り付けられており、
上記位置特定手段によって特定された位置に応じた量の撮影光を発する発光制御手段を更に備えている、ことを特徴とする、請求項１１に記載の画像生成装置。
【請求項１３】
上記複数の近距離無線通信ユニットが撮影スペースに取り付けられており、
上記複数の近距離無線通信ユニットのうちのいずれかの近距離無線通信ユニットを介して、上記撮影スペース内に位置する通信機器に向けて、上記位置特定手段によって特定された位置に応じたガイド情報を送信するガイド情報送信手段を更に備えている、ことを特徴とする請求項１１または１２に記載の画像生成装置。
【請求項１４】
撮影スペースと編集スペースとが設けられており、
上記位置特定手段に上記位置を繰り返し特定させることにより、上記通信機器のユーザの移動方向を特定する移動方向特定手段を更に備え、
上記ガイド情報送信手段は、上記画像生成装置が上記ユーザを被写体とする撮影処理を完了した後における上記移動方向が上記編集スペースから遠ざかる方向であることを検出した場合に、上記編集スペースに当該ユーザを移動させるための情報を上記ガイド情報として送信する、ことを特徴とする請求項１３に記載の画像生成装置。
【請求項１５】
上記複数の近距離無線通信ユニットが撮影スペースに取り付けられており、
上記撮影スペース内のどの位置に立つべきかを指示する音声の内容を上記位置特定手段によって特定された位置に基づいて決定し、決定した内容の音声を出力する音声出力手段を更に備えている、ことを特徴とする請求項１１から１４のいずれか１項に記載の画像生成装置。
【発明の詳細な説明】
【技術分野】
【０００１】
本発明は、撮影画像を生成する画像生成装置に関する。
【背景技術】
【０００２】
昨今の写真シール作成装置は、ユーザの携帯端末との間で非接触通信を行う非接触型ＩＣリーダ／ライタを備えたものが一般的になっている。
【０００３】
そのような写真シール作成装置としては、例えば、特許文献１〜３に開示された写真シール作成装置が挙げられる。これらの写真シール作成装置は、ユーザが非接触型ＩＣを搭載した機器を近づけると、機器との間で非接触通信を行うようになっている。
【０００４】
例えば、特許文献２の写真シール作成装置は、利用者が自装置の非接触型ＩＣリーダ／ライタに非接触型ＩＣを搭載した携帯端末をかざすと、携帯送信用画像を取得させるための取得情報を非接触通信により携帯端末に送信する。これにより、特許文献２の写真シール作成装置は、携帯端末の利用者に携帯送信用画像の取得を行わせることができる。
【先行技術文献】
【特許文献】
【０００５】
【特許文献１】特許第４４７０６４７号明細書（２００６年３月９日公開）
【特許文献２】特開２０１２−２３４０２６号公報（２０１２年１１月２９日公開）
【特許文献３】特許第５２１２０５３号明細書（２０１０年６月１０日公開）
【発明の概要】
【発明が解決しようとする課題】
【０００６】
しかしながら、上記従来の構成では、非接触型ＩＣを搭載した機器と写真シール作成装置との間の非接触通信を行わせるためにユーザが非接触型ＩＣを搭載した機器を非接触型ＩＣリーダ／ライタに近づけなければならないという問題がある。例えば、ユーザが鞄に非接触型ＩＣを搭載した機器を入れていた場合、ユーザは、鞄からその機器を取り出し、取り出した機器を非接触型ＩＣリーダ／ライタに近づけなければならない。
【０００７】
本発明は、上記課題に鑑みて成されたものであり、その主な目的は、通信機器と画像生成装置との間の通信を可能にすることを目的とする動作をユーザに行わせることなく、通信機器との間で通信を行うことが可能な画像生成装置を実現することにある。
【課題を解決するための手段】
【０００８】
上記課題を解決するために、本発明の一態様に係る画像生成装置は、通信可能な範囲内に近づいた通信機器との間でユーザによるペアリング操作を必要とすることなく自動的に通信する機能を備えた近距離無線通信ユニットが取り付けられた画像生成装置であって、上記近距離無線通信ユニットを中心とし、上記近距離無線通信ユニットの仕様上の最大通信距離を半径とする範囲内に、上記画像生成装置全体が含まれている。
【発明の効果】
【０００９】
本発明の一態様に係る画像生成装置は、ユーザが所有する通信機器と画像生成装置との間の通信を可能にすることを目的とする動作をユーザに行わせることなく、通信機器との間で通信を行うことできるという効果を奏する。
【図面の簡単な説明】
【００１０】
【図１】本発明の一実施形態に係る写真シール作成装置の制御部が備える機能の要部構成を示したブロック図である。
【図２】図１の写真シール作成装置を含む本発明の一実施形態に係る情報管理システムの外観図である。
【図３】ある角度から見た場合における図１の写真シール作成装置の外観を示す斜視図である。
【図４】上記ある角度とは別の角度から見た場合における図１の写真シール作成装置の外観の一例を示す斜視図である。
【図５】図１の写真シール作成装置に含まれる撮影ユニット内の撮影部の外観の一例を示す斜視図である。
【図６】図１の写真シール作成装置に含まれる撮影ユニット内の背景部の外観の一例を示す斜視図である。
【図７】図１の写真シール作成装置に含まれる編集部の外観の一例を示す斜視図である。
【図８】図１の写真シール作成装置に含まれる事前接客部の外観の一例を示す斜視図である。
【図９】図１の写真シール作成装置に含まれる印刷部の外観の一例を示す斜視図である。
【図１０】図１の写真シール作成装置におけるゲームの流れとユーザの移動とを模式的に示す図である。
【図１１】図１の写真シール作成装置が備える機能の要部構成を示すブロック図である。
【図１２】図１の写真シール作成装置の記憶部に格納されているデータの一例を示す図である。
【図１３】図２の情報管理システムに含まれる携帯端末の要部構成を示すブロック図である。
【図１４】図２の情報管理システムに含まれるサーバの要部構成を示すブロック図である。
【図１５】図２の情報管理システムの会員登録動作を示すシーケンス図である。
【図１６】ユーザが図１の写真シール作成装置で遊んでいる間の図２の情報管理システムの動作を示すシーケンス図である。
【図１７】図１６のシーケンス図の一工程における写真シール作成装置の動作を詳細に示すフローチャートである。
【図１８】図１の写真シール作成装置の表示画面に表示されるＵＩ画面の一例を示す図である。
【図１９】図１の写真シール作成装置の表示画面に表示されるＵＩ画面の別の一例を示す図である。
【図２０】図１の写真シール作成装置の記憶部に格納されているデータの別の一例を示す図である。
【図２１】図１の写真シール作成装置の記憶部に格納されているデータの更に別の一例を示す図である。
【発明を実施するための形態】
【００１１】
＜実施形態１＞
本発明に係る画像生成装置の一実施形態について、図１から図２１を参照して説明する。但し、この実施形態に記載されている構成は、特に特定的な記載がない限り、この発明の範囲をそれのみに限定する趣旨ではなく、単なる説明例に過ぎない。
【００１２】
ここで、画像生成装置は、当該画像生成装置を利用するユーザに対して、ユーザ自身の撮影及び撮影画像の編集などの作業をゲームとして提供すると共に、撮影画像や編集済み画像の画像データの携帯端末への提供及びこれらの画像を印刷したシートの提供を行い、その代わりにユーザから代金を受け取るゲーム機である。画像生成装置はゲームセンタなどの店舗に設置される。ユーザは１人であることもあるし、複数人であることもある。
【００１３】
本実施形態では、画像生成装置が、撮影画像や編集済み画像を印刷したシートとしてシール紙を提供する、写真シール作成装置である場合を例に挙げて説明するが、画像生成装置は、例えば、撮影画像や編集済み画像を印刷したシート（シール紙ではない一般的なシート）を提供する写真作成装置であってもよい。
【００１４】
〔情報管理システム〕
本実施形態に係る写真シール作成装置１を含む情報管理システムについて、図２を参照して説明する。図２は、本実施形態に係る情報管理システムの外観図である。
【００１５】
図２に示すように、情報管理システムは、写真シール作成装置（画像生成装置）１、携帯端末３００（通信機器）、及び、サーバ４００を含んで構成されている。
【００１６】
写真シール作成装置１を利用してゲームを行う（遊戯を行う）ユーザは、（１）代金を投入し、自身が被写体となって撮影を行う撮影工程、（２）撮影によって得られた撮影画像に対して手書きの線画やスタンプ画像などを合成する編集機能を用いて編集を行う編集工程、及び、（３）編集済み画像が印刷されたシール紙を受け取る受取工程の、一連の工程を経ることにより１ゲームを終了させることになる。
【００１７】
以降では、上記（１）から（３）までの工程によりゲームを行うことを、「１ゲーム」とも呼称する。また、１ゲームの各工程を一緒に（つまり、同時に）行う一人以上のユーザを、「１グループ」とも呼称する。
【００１８】
また、写真シール作成装置１は、後述する無線通信ユニット１５０（近距離無線通信ユニット）を備えており、通信機器と近距離無線通信を行うことができる。本実施形態では、通信機器が、当該写真シール作成装置１を利用しているユーザの所有する携帯端末３００である場合を例に挙げて説明する。なお、携帯端末３００としては、例えば、携帯電話、及び、スマートフォンなどを挙げることができる。また、通信機器は、携帯端末３００に限定されるものではなく、例えば、タブレット端末であってもよいし、近距離無線通信の可能なメンバーズカードなどであってもよい。
【００１９】
また、写真シール作成装置１及び携帯端末３００は、ネットワークを介してサーバ４００と通信する。詳細については後述するが、サーバ４００には、携帯端末３００を所有するユーザ（つまり、写真シール作成装置１を利用するユーザ）に関する情報が記憶されている。
【００２０】
〔写真シール作成装置の構成〕
まず、図３から図１１を参照して、本実施形態に係る写真シール作成装置１の構成について説明する。図３は、ある角度から見た場合における本実施形態に係る写真シール作成装置１の外観を示す斜視図である。また、図４は、上記ある角度とは別の角度から見た場合における本実施形態に係る写真シール作成装置１の外観の一例を示す斜視図である。
【００２１】
図３及び図４に示すように、写真シール作成装置１は、主に、撮影ユニット１１、編集部１２、事前接客部１４、および、印刷部１５を備えている。また、撮影ユニット１１は、撮影部２１及び背景部２２を備えている。撮影部２１と背景部２２とは一定の距離だけ離れて設置される。そして、撮影部２１と背景部２２との間に形成される空間である撮影空間（図１０に示す、Ａ１）において撮影工程が行われる。なお、本実施形態では、撮影空間のことを「撮影ブース」とも称する。
【００２２】
（撮影部）
撮影部２１は、１ゲームにおける撮影工程をユーザに実行させる。撮影部２１は、撮影空間に入って撮影工程を行うユーザの正面に位置する。撮影部２１の構成について、図５を参照して説明する。図５は、本実施形態に係る撮影部２１の外観の一例を示す斜視図である。
【００２３】
図５に示すように、撮影部２１は、正面パネル４１、側面パネル４２Ａ、側面パネル４２Ｂ、及び、ベース部４３を備えている。また、ベース部４３は、箱状の形状を有しており、正面パネル４１、側面パネル４２Ａ、及び、側面パネル４２Ｂは、それぞれベース部４３に固定されている。
【００２４】
正面パネル４１は撮影空間において撮影工程を行うユーザの正面に位置している。また、撮影空間において撮影工程を行うユーザから見て、側面パネル４２Ａは正面パネル４１の左側に位置し、側面パネル４２Ｂは正面パネル４１の右側に位置している。側面パネル４２Ａの上方には連結部２３Ａが固定され、側面パネル４２Ｂの上方には連結部２３Ｂが固定されている。
【００２５】
正面パネル４１のほぼ中央には、撮影・表示ユニット８１が設けられている。撮影・表示ユニット８１は、カメラ９１、正面ストロボ９２、及び、タッチパネルモニタ９３を備えている。また、撮影・表示ユニット８１のカメラ９１の下方には、無線通信ユニット１５０Ｂ（詳細については後述する）が備えられている。
【００２６】
カメラ９１は、例えば、ＣＣＤ(Charge Coupled Device)などの撮像素子により構成され、撮影空間にいるユーザを動画像又は静止画像として撮影する。カメラ９１により撮影された動画像は、タッチパネルモニタ９３にリアルタイムで表示される。ユーザにより撮影が指示されたときなどの所定のタイミングでカメラ９１により撮影された画像は撮影画像（静止画像）として保存される。
【００２７】
タッチパネルモニタ９３は、カメラ９１の下側に設けられ、例えば、ＬＣＤ(Liquid Crystal Display)などのモニタ、及び、モニタに積層されたタッチパネルにより構成される。タッチパネルモニタ９３は、カメラ９１により撮影された動画像を表示するライブビューモニタとしての機能と、各種のＧＵＩ(Graphical User Interface)画像を表示してユーザの選択操作をタッチパネルにより受け付ける機能と、を有している。また、タッチパネルモニタ９３には、背景などの画像が合成された後の動画像が表示されてもよい。
【００２８】
また、正面パネル４１には、撮影・表示ユニット８１の位置を基準として、上方に上ストロボ８２が設置され、左方に左ストロボ８３が設置され、右方に右ストロボ８４が設置されている。撮影・表示ユニット８１の下方には、ベース部４３の上面が一部突出する形で下ストロボ８５が設けられる。ベース部４３には、ユーザの足元を照射する足元ストロボ８６が設けられている。
【００２９】
上ストロボ８２、左ストロボ８３、右ストロボ８４、下ストロボ８５、及び、足元ストロボ８６は、内部に光源（例えば、ＬＥＤ及び蛍光灯など）が設けられており、後述する天井ストロボユニット２４と共に、撮影空間内の照明として用いられる。
【００３０】
足元ストロボ８６の右側には、ユーザがお金を投入する硬貨投入返却口８７が設けられる。また、下ストロボ８５を挟んでベース部４３の上面の左右に形成されるスペース４３Ａ及びスペース４３Ｂは、撮影工程を行うユーザが手荷物などを置くための荷物置き場として用いることができる。正面パネル４１の例えば天井付近には、撮影工程に関する案内の音声、ＢＤＭ(Back Ground Music)、及び効果音などの音を出力するスピーカ（不図示）がさらに設けられていてもよい。
【００３１】
（背景部）
背景部２２は、正面（すなわち、撮影部２１が配置されている方向）を向いて撮影工程を行うユーザの背面側に位置している。背景部２２は、図３及び図４に示すように、板状の部材である背面パネル５１、背面パネル５１の左端に取り付けられ、側面パネル４２Ａより横幅（短手方向）の狭い板状の部材である側面パネル５２Ａ、および、背面パネル５１の右端に取り付けられ、側面パネル４２Ｂより横幅の狭い板状の部材である側面パネル５２Ｂを備えている。
【００３２】
撮影部２１の側面パネル４２Ａ及び背景部２２の側面パネル５２Ａは、ほぼ同一平面に設けられ、それぞれの上部が、板状の部材である連結部２３Ａによって連結される。撮影部２１の側面パネル４２Ｂ及び背景部２２の側面パネル５２Ｂもまた、ほぼ同一平面に設けられ、それぞれの上部が、板状の部材である連結部２３Ｂによって連結される。
【００３３】
背景部２２の構成について、図６を参照して説明する。図６は、本実施形態に係る背景部２２の外観の一例を示す斜視図である。図６に示すように、背景部２２は、その上方に、背景カーテンユニット２５、背面中央ストロボ１０１、背面左ストロボ１０２、及び、背面右ストロボ１０３を備えている。
【００３４】
背景カーテンユニット２５は、背面パネル５１、側面パネル５２Ａ、及び、側面パネル５２Ｂに支持されている。背景カーテンユニット２５には、色または柄の異なる、背景に利用する巻き取り式の背景カーテンが複数収納されている。背景カーテンユニット２５は、撮影部２１に設けられたカメラ９１等による撮影と連動して動作し、撮影工程の際に、例えばユーザにより選択された色のカーテンを下ろし、その他のカーテンを巻き取る。なお、背景カーテンは１枚でもよく、この場合、合成用クロマキーカーテンでもよい。
【００３５】
背面中央ストロボ１０１は、背景カーテンユニット２５のほぼ中央に取り付けられ、撮影空間内で撮影工程を行うユーザを後方中央から照射する。また、背面左ストロボ１０２は背面パネル５１の側面パネル４２Ａ側上方に取り付けられ、背面右ストロボ１０３は背面パネル５１の側面パネル４２Ｂ側上方に取り付けられ、それぞれ撮影工程を行うユーザを左後方、右後方から照射する。
【００３６】
図３及び図４に示すように、撮影部２１の側面パネル４２Ａ、背景部２２の側面パネル５２Ａ、及び、連結部２３Ａに囲まれて形成される開口が、ユーザが撮影空間の出入りを行う出入り口Ｇ１となる。また、撮影部２１の側面パネル４２Ｂ、背景部２２の側面パネル５２Ｂ、及び、連結部２３Ｂに囲まれて形成される開口が、撮影空間の出入り口Ｇ２となる。
【００３７】
さらに、撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられている。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。
【００３８】
（編集部）
編集部１２は、撮影工程によって得られた画像を編集する編集工程をユーザに実行させる。編集部１２は、一方の側面が撮影部２１の正面パネル４１の背面に接するように撮影ユニット１１に連結して設けられる。
【００３９】
また、編集部１２は、ユーザが編集工程を行うための構成を２つ備えている。図３及び図４に示す構成を正面側とすると、編集部１２は、正面側に構成を備え、背面側にも同様の構成を備えている。これにより、２組のグループのユーザが、それぞれ異なる撮影工程において撮影した撮影画像に対して、並行して編集工程を行うことができる（すなわち、写真シール作成装置１は、少なくとも２つのゲームを並行して行うことができる）。
【００４０】
編集部１２の構成について、図７を参照して説明する。図７は、本実施形態に係る編集部１２の外観の一例を示す斜視図である。図７に示すように、編集部１２は、床面に対して垂直な面７１、面７１の上方に形成された斜面７２、柱状の形状を有する支持部７３Ａ、支持部７３Ｂ、支持部７５、照明装置７４、及び、カーテンレール２６を備えている。
【００４１】
支持部７３Ａは照明装置７４の一端を支持し、また、支持部７３Ｂは照明装置７４の他端を支持している。支持部７５は、支持部７３Ａの上面に設けられ、カーテンレール２６を支持している。
【００４２】
斜面７２には、当該斜面７２のほぼ中央に、タブレット内蔵モニタ１３１が設けられている。また、タブレット内蔵モニタ１３１を挟んで、左側にタッチペン１３２Ａが設けられ、右側にタッチペン１３２Ｂが設けられている。また、斜面７２には、タブレット内蔵モニタ１３１の上方に、無線通信ユニット１５０Ｃを備えている（詳細については後述する）。
【００４３】
タブレット内蔵モニタ１３１は、例えば、ＬＣＤなどのモニタ、及び、モニタに積層されるタブレットであってタッチペン１３２Ａ及び１３２Ｂを用いて操作入力が可能なタブレットにより構成されている。タブレット内蔵モニタ１３１には、例えば、撮影工程において撮影された複数の撮影画像のうち、編集工程において編集対象となる画像としてユーザにより選択された画像が表示される（編集画面）。
【００４４】
カーテンレール２６は、編集部１２を上から見たときの形状がコの字状となるように３本のレール２６Ａ〜２６Ｃを組み合わせて構成される。レール２６Ａ及び２６Ｂの一端は連結部２３Ａと連結部２３Ｂにそれぞれ固定され、レール２６Ａの他端はレール２６Ｃの一端に固定され、また、レール２６Ｂの他端はレール２６Ｃの他端に固定されている。また、カーテンレール２６には、編集部１２のタブレット内蔵モニタ１３１が外から見えないように、カーテン（不図示）が取り付けられる。カーテンレール２６に取り付けられたカーテンと編集部１２との間の空間が、ユーザが編集工程を行う編集空間（図１０に示す、Ａ２−１、及び、Ａ２−２）となる。なお、本実施形態では、編集空間のことを「編集ブース」とも称する。また、編集ブースの個数は特に限定されず、編集ブースの個数は１つであっても３つ以上であってもよい。
【００４５】
（事前接客部）
事前接客部１４は、事前接客工程をユーザに実行させる。事前接客部１４の構成について、図８を参照して説明する。図８は、本実施形態に係る事前接客部１４の外観の一例を示す斜視図である。図８に示すように、事前接客部１４は、タブレット内蔵モニタ１４１、タッチペン１４２Ａ、１４２Ｂ、及び、無線通信ユニット１５０Ａ（詳細は後述する）を備えている。
【００４６】
タブレット内蔵モニタ１４１は、事前接客部１４のほぼ中央に設けられており、タブレット内蔵モニタ１４１を挟んで左側にタッチペン１４２Ａが、右側にタッチペン１４２Ｂが設けられている。タブレット内蔵モニタ１４１は、タブレット内蔵モニタ１３１と同様の構成である。タブレット内蔵モニタ１４１には、事前接客工程に用いられる画面が表示される。
【００４７】
事前接客部１４の正面前方の空間が、ユーザが事前接客工程を行う事前接客空間（図１０に示す、Ａ４）となる。なお、本実施形態では、事前接客空間のことを「事前接客ブース」とも称する。
【００４８】
（印刷部）
印刷部１５は、受取工程において、編集済み画像を印刷したシール紙をユーザに提供する。印刷部１５の構成について、図９を参照して説明する。図９は、本実施形態に係る印刷部１５の外観の一例を示す斜視図である。図９に示すように、印刷部１５は、シール紙排出口１６４、及び、スピーカ１６５を備えている。
【００４９】
印刷部１５は、板状の筐体を有しており、その背面が編集部１２の一方の側面に接するように編集部１２に連結して設けられる。印刷部１５の正面前方の空間が、シール紙への印刷が終わるのを待つユーザが受取工程を行う事後接客空間（図１０に示す、Ａ３）となる。なお、本実施形態では、事後接客空間のことを「事後接客ブース」とも称する。
【００５０】
シール紙排出口１６４は、編集工程においてユーザにより編集された編集済み画像が印刷されたシール紙が排出し、これにより、シール紙がユーザに提供される。なお、編集部１２の内部にはプリンタが設けられており、編集済み画像のシール紙への印刷処理はそのプリンタにより行われる。
【００５１】
スピーカ１６５は、シール紙排出時の案内音声、ＢＧＭ、及び、効果音などの音を出力する。
【００５２】
（無線通信ユニット）
上述したように、写真シール作成装置１は、無線通信ユニット１５０を備えている。より具体的には、事前接客部１４に無線通信ユニット１５０Ａが、撮影部２１に無線通信ユニット１５０Ｂが、編集部１２に無線通信ユニット１５０Ｃ、１５０Ｄ（後述）が備えられている。なお、ユニット１５０Ａ〜Ｄは何れも同様の構成である。
【００５３】
無線通信ユニット１５０は、所定の範囲内に存在する携帯端末３００を検出すると共に、検出した携帯端末３００との間で近距離無線通信を行う機能を備えている。具体的には、無線通信ユニット１５０は、通信可能な範囲内（所定の範囲内）に近づいた携帯端末３００との間で、ユーザによるペアリング操作を必要とすることなく自動的に接続を確立し、近距離無線通信を行うようになっている。ここで、所定の範囲内とは、無線通信ユニット１５０を中心とし、当該無線通信ユニット１５０の仕様上の最大通信距離を半径とする範囲内のことを指す。なお、無線通信ユニット１５０は、所定の範囲内に携帯端末３００が複数存在する場合には、複数の携帯端末３００を略同時に検出することができる（換言すれば、無線通信ユニット１５０は、複数の携帯端末３００を各個別に順次検出する必要がない）。
【００５４】
また、無線通信ユニット１５０を中心とした仕様上の最大通信距離を半径とする範囲内には、写真シール作成装置１全体が含まれている。
【００５５】
無線通信ユニット１５０としては、例えば、Ｂｅａｃｏｎを挙げることができる。Ｂｅａｃｏｎの仕様上（「Bluetooth（登録商標） LowEnergy」の規格上）の最大通信距離は約５０ｍであり、推奨される通信距離の範囲は１０ｍである。
【００５６】
〔写真ゲーム作成装置におけるユーザの移動〕
ここで、写真シール作成装置１における１ゲームの流れと、それに伴うユーザの移動について図１０を参照して説明する。図１０は、写真シール作成装置１におけるゲームの流れとユーザの移動とを模式的に示す図である。
【００５７】
写真シール作成装置１のユーザは、矢印＃１で示すように出入り口Ｇ１から、または矢印＃２で示すように出入り口Ｇ２から、撮影部２１と背景部２２の間に形成された撮影空間Ａ１に入り、撮影部２１に設けられたカメラやタッチパネルモニタなど利用して撮影工程を行う。
【００５８】
撮影工程を終えたユーザは、矢印＃３で示すように出入り口Ｇ１から撮影空間Ａ１を出て編集空間Ａ２−１に移動するか、又は、矢印＃４で示すように出入り口Ｇ２から撮影空間Ａ１を出て編集空間Ａ２−２に移動する。編集空間Ａ２−１は、編集部１２の正面側の編集空間であり、編集空間Ａ２−２は、編集部１２の背面側の編集空間である。
【００５９】
編集空間Ａ２−１及び編集空間Ａ２−２のいずれの空間に移動するかは、撮影部２１のタッチパネルモニタ９３に表示される案内画面などによって案内される。例えば２つの編集空間Ａ２のうち他のグループのユーザに利用されていない編集空間Ａ２が移動先として案内される。編集空間Ａ２−１または編集空間Ａ２−２に移動したユーザは編集工程を開始する。なお、編集空間Ａ２−１を利用するグループのユーザと、編集空間Ａ２−２を利用するグループのユーザとは、それぞれ並行して編集工程を行うことができる。
【００６０】
編集工程が終了した後、写真シール作成装置１において、撮影画像や編集済みの画像の中から選択された画像の印刷処理が開始される。画像の印刷中、編集工程を終えたユーザは、矢印＃５及び矢印＃６で示すように編集空間Ａ２−１又は編集空間Ａ２−２から事後接客空間Ａ３に移動して、画像の印刷されたシール紙の提供を待つ。
【００６１】
画像の印刷が終了すると、ユーザは、受取工程においてシール紙排出口からシール紙を受け取る。これにより、写真シール作成装置１における一連のゲーム（１ゲーム）が終了する。
【００６２】
〔写真シール作成装置の機能〕
次に、写真シール作成装置１の機能構成について、図１および図１１を参照して説明する。図１は、写真シール作成装置１の制御部の機能構成を示すブロック図である。図１１は、写真シール作成装置１の機能の要部構成を示すブロック図である。図１１に示すように、写真シール作成装置１は、制御部２０１、撮影処理部２０８、編集処理部２０９Ａ、編集処理部２０９Ｂ、印刷処理部２１１、及び、事前処理部２１２を備えている。
【００６３】
（制御部）
制御部２０１は、例えば、ＣＰＵ(Central Processing Unit)などにより構成され、当該制御部２０１に接続されている記憶部２０２及びＲＯＭ(Read Only Memory)２０６に記憶されているプログラムを実行することで写真シール作成装置１の全体の動作を制御する。
【００６４】
制御部２０１は、記憶部２０２及びＲＯＭ２０６に記憶されているプログラムを実行することで、図１に示すように、ＵＩ提示処理部２０１１、ガイド情報提示処理部２０１２、画像送受信処理部２０１３、操作受付処理部２０１４、および、ユーザ位置特定部２０１５として機能する。
【００６５】
ＵＩ提示処理部２０１１は、表示画面（事前接客部１４に設けられたタブレット内蔵モニタ１４１、撮影部に設けられたタッチパネルモニタ９３、及び、編集部に設けられたタブレット内蔵モニタ１３１）に各種のＵＩ画面を表示する。
【００６６】
ガイド情報提示処理部２０１２は、ユーザがゲームを進めたり写真シール作成装置１に関する知識を獲得したりする上で役に立つガイド情報をユーザに提示するための処理を行う。例えば、ガイド情報提示処理部２０１２は、無線通信ユニット１５０Ｂを介し、撮影空間Ａ１内に位置するユーザの携帯端末３００に向けて、そのユーザに対するガイド情報を送信する。
【００６７】
ガイド情報の一例としては、ユーザが撮影空間Ａ１の次に利用すべき空いている編集空間が編集空間Ａ２−１及び編集空間Ａ２−２のうちのいずれであるかを示す情報が挙げられる。また、ガイド情報の別の一例としては、撮影空間Ａ１において撮影中のユーザが立つべき位置、撮影方法や撮影ポーズ等に関するガイド情報が挙げられる。ガイド情報の更に別の一例としては、撮影空間Ａ１における撮影処理を完了した後に、移動すべき編集空間からユーザから遠ざかった場合に、移動すべき編集空間に誘導するためのガイド情報が挙げられる。
【００６８】
画像送受信処理部２０１３は、無線通信ユニット１５０を介して、撮影画像や編集済み画像の画像データを携帯端末３００に送信する処理を行う。例えば、画像送受信処理部２０１３は、ユーザを被写体とする撮影処理を完了した後に、当該被写体の像を含む撮影画像の画像データをそのユーザの携帯端末３００に送信する。
【００６９】
操作受付処理部２０１４は、ユーザからの各種操作（例えば、タッチパネルモニタ９３を用いた操作）を受け付け、操作内容に応じたイベントを発行する。
【００７０】
ユーザ位置特定部２０１５は、複数の無線通信ユニット１５０の各々から、無線通信ユニット１５０が感知した携帯端末３００からの電波の強度を示す情報を取得する。そして、ユーザ位置特定部２０１５は、各無線通信ユニット１５０から取得した当該情報に基づいて、その携帯端末３００の位置を特定する。
【００７１】
また、制御部２０１には、通信部２０３、ドライブ２０４、ＲＡＭ(Random Access Memory)２０７が接続されており、さらに、撮影処理部２０８、編集処理部２０９Ａ、編集処理部２０９Ｂ、印刷処理部２１１、及び、事前処理部２１２の各構成が接続されている。
【００７２】
通信部２０３は、インターネットなどのネットワークを介して通信を行うインタフェースであり、サーバ４００との間で通信を行う。ＲＯＭ２０６には、制御部２０１において実行されるプログラムやデータが記憶されている。ＲＡＭ２０７は、制御部２０１が処理するデータやプログラムを一時的に記憶する。
【００７３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７４】
記憶部２０２は、ハードディスクやフラッシュメモリなどの不揮発性の記憶媒体からなり、制御部２０１から供給された各種の設定情報を記憶する。ここで、記憶部２０２に格納されているデータの一例について、図１２を参照して説明する。図１２は、本実施形態に係る写真シール作成装置１の記憶部２０２に格納されているデータの一例を示す図である。
【００７５】
図１２に示すように、記憶部２０２には、例えば、写真シール作成装置１においてゲームを行ったユーザの会員ＩＤ、メールアドレス、撮影日、ゲームにおいて作成された画像を示す画像データ、画像ＩＤ、シールＩＤ、ユーザが選択したコース、及び、写真シール作成装置１の機器ＩＤなどが格納されている。
【００７６】
また、図１２に示すように、記憶部２０２には、撮影空間Ａ１において撮影中のユーザが立つべき位置に関するガイド情報をユーザに提示するために必要な情報（撮影定位置情報、アナウンス音声データ）やユーザの立ち位置に応じて適切な光量のストロボを発行するために必要なストロボ光量情報等が格納されている。さらに、記憶部２０２には、撮影空間Ａ１の次にユーザが利用すべき空いている編集空間を決定するために参照される情報（編集ブース空き状況情報）や、移動すべき編集空間からユーザから遠ざかった場合に再生すべき誘導音声データ（「そっちは編集ブースじゃないよ」「反対側に移動してね」等の誘導音声データ）が格納されている。
【００７７】
（事前処理部）
事前処理部２１２は、事前接客空間Ａ４における事前接客工程を実行するための構成であり、タブレット内蔵モニタ１４１、タッチペン１４２Ａ、１４２Ｂ、及び、無線通信ユニット１５０Ａを備えている。
【００７８】
タブレット内蔵モニタ１４１は、制御部２０１による制御に従い、事前処理に関するＵＩ画面を表示し、ユーザ入力を受け付ける。
【００７９】
また、無線通信ユニット１５０Ａは、事前処理空間Ａ４に来たユーザの携帯端末３００との間で通信を行うために使用される。
【００８０】
（撮影処理部）
撮影処理部２０８は、撮影空間Ａ１における撮影工程を実行するための構成であり、硬貨処理部２２１、背景制御部２２２、照明制御部２２３、カメラ９１、タッチパネルモニタ９３、スピーカ２２４、及び、無線通信ユニット１５０Ｂを備えている。
【００８１】
硬貨処理部２２１は、硬貨投入返却口８７に対する硬貨の投入を検出する。硬貨処理部２２１は、例えば４００円などの予め定められた金額分の硬貨が投入されたことを検出した場合、そのことを表す起動信号を制御部２０１に出力する。背景制御部２２２は、制御部２０１より供給される背景制御信号に従って背景カーテンユニット２５に収納されている背景カーテンの上げ下ろしを行う。
【００８２】
照明制御部２２３は、制御部２０１より供給される照明制御信号に従って、撮影空間Ａ１内の各ストロボ２４、８２〜８６、１０１〜１０３の発光を制御する。また、照明制御部２２３は、各ストロボ２４、８２〜８６、１０１〜１０３の内部に設けられている光源の発光量を調整することにより、又は、発光させる光源の数を調整することにより、ユーザが行っている撮影工程の内容に応じて撮影空間内の明るさを調整する。カメラ９１は、制御部２０１による制御に従って撮影を行い、撮影によって得られた画像（撮影画像）を表す画像データを制御部２０１に出力する。
【００８３】
無線通信ユニット１５０Ｂは、撮影空間Ａ１に来たユーザの携帯端末３００との間で通信を行うために使用される。
【００８４】
（編集処理部）
編集処理部２０９Ａは、編集空間Ａ２−１における編集工程を実行するための構成であり、タブレット内蔵モニタ１３１、タッチペン１３２Ａ、１３２Ｂ、スピーカ２３１、及び、無線通信ユニット１５０Ｃを備えている。また、編集処理部２０９Ｂは、編集処理部２０９Ａと同一の構成を有しており、編集空間Ａ２−２における編集工程を実行する。
【００８５】
タブレット内蔵モニタ１３１は、制御部２０１による制御に従って編集画面を表示し、編集画面に対するユーザの操作を受け付ける。ユーザの操作の内容を表す入力信号は制御部２０１に供給され、編集対象となる撮影画像に対する編集が行われる。
【００８６】
無線通信ユニット１５０Ｃは、編集空間に来たユーザの携帯端末３００との間で通信を行うために使用される。
【００８７】
（印刷処理部）
印刷処理部２１１は、印刷処理を行うプリンタ２４１、及び、シール紙ユニット２４２を備えている。プリンタ２４１は、編集部１２に備えられており、撮影画像及び編集済み画像を当該プリンタ２４１に装着されたシール紙ユニット２４２に収納されているシール紙に印刷し、シール紙排出口１６４に排出する。
【００８８】
〔携帯端末〕
次に、携帯端末３００の構成について、図１３を参照して説明する。図１３は、本実施形態に係る携帯端末３００の要部構成を示すブロック図である。図１３に示すように、携帯端末３００は、通信部３１０、無線通信ユニット３２０、制御部３３０、記憶部３４０、及び、表示部３５０を備えている。
【００８９】
（通信部、表示部）
通信部３１０は、インターネットなどのネットワークを介して通信を行うインタフェースであり、サーバ４００との間で通信を行う。
【００９０】
表示部３５０は、制御部３３０による制御に従い、例えば、写真シール作成装置１において作成された画像（撮影画像および編集済み画像）などを表示する。
【００９１】
（無線通信ユニット）
無線通信ユニット３２０は、写真シール作成装置１の備える無線通信ユニット１５０との間で、ネットワークを介さない近距離無線通信を行う。無線通信ユニット３２０としては、例えば、Ｂｅａｃｏｎ等と通信可能であって、Bluetooth LowEnergyに対応した通信ユニットを挙げることができる。Ｂｅａｃｏｎの仕様上（「Bluetooth LowEnergy」の規格上）の最大通信距離は約５０ｍであり、推奨される通信距離の範囲は１０ｍである。
【００９２】
（制御部）
制御部３３０は、携帯端末３００の処理を統合的に制御する。また、制御部３３０は、アプリケーション制御部３３１を含んでいる。
【００９３】
アプリケーション制御部３３１は、写真シール作成装置１を利用する際の利便性を向上させるためのアプリケーションのダウンロード（以降、「対象アプリケーション」とも称する）、及び、ダウンロードされた対象アプリケーションを実行する処理などを制御する。対象アプリケーションの実行としては、例えば、対象アプリケーションを有料会員として利用する有料会員登録、無料会員として利用する無料会員登録、及び、有料又は無料会員として対象アプリケーションが提供するサービスを実行することが挙げられる。以降では、有料会員および無料会員を、単に「会員」とも記載する。
【００９４】
有料会員に対して対象アプリケーションが提供するサービスとしては、例えば、写真シール作成装置１から提供されるシール紙に印刷されている１つ以上の画像の各々と同じ画像を示す１つ以上の画像データを提供するサービスが挙げられる。具体的には、有料会員に対して、シール紙に４種類の画像が印刷される場合に、４種類の画像の各々を示す４種類の画像データを提供する。
【００９５】
無料会員に対して対象アプリケーションが提供するサービスとしては、例えば、写真シール作成装置１から提供されるシール紙に印刷されている１つ以上の画像のうち、当該無料会員であるユーザの選択した１枚の画像を示す画像データを提供するサービスが挙げられる。
【００９６】
なお、本実施形態では、有料会員に対して対象アプリケーションが提供するサービスとして、シール紙に印刷されている１つ以上の画像の各々と同じ画像を提供する構成を例に挙げて説明するが、これに限定されるものではない。例えば、対象アプリケーションが提供するサービスとして、写真シール作成装置１において撮影された、編集前の画像、編集画像、及び、携帯端末３００のみで利用可能な画像など（つまり、シール紙に印刷されない画像）を提供するサービスを採用することもできる。このとき、無料会員であるユーザは、シール紙に印刷されない画像から１枚の画像を選択することもできる。
【００９７】
また、対象アプリケーションは、無料会員であるユーザに１枚の画像を選択させる際に、ユーザによる選択操作を受け付け可能な期間を設定してもよい。無料会員であるユーザが設定された期間内に１枚の画像を選択しなかった場合には、対象アプリケーションは、写真シール作成装置１（又は、対象アプリケーション）において選択した１枚の画像を、無料会員に提供してもよい。
【００９８】
（記憶部）
記憶部３４０は、会員情報データベース３４１、画像データベース３４２、及び、対象アプリケーション本体のデータ３４３を含んでいる。
【００９９】
会員情報データベース３４１には、会員登録を行った際にアプリケーションにより設定された、又は、ユーザ自身が設定した会員情報が格納される。会員情報としては、例えば、会員登録の際に対象アプリケーションにより設定されるユーザＩＤ、ユーザ自身が入力するユーザのメールアドレス、ニックネーム、及び、生年月日などが挙げられる。
【０１００】
また、画像データベース３４２には、対象アプリケーションが提供するサービスにより取得した画像データが格納される。アプリケーション制御部３３１が対象アプリケーションを実行することにより、画像データベース３４２に格納されている画像データの表す画像を表示部３５０に表示することができる。
【０１０１】
また、記憶部３４０には、撮影コース紹介用の動画データ群３４４を含んでいる。動画データ群は、例えば、撮影コースＡを紹介するための動画データ、撮影コースＢを紹介するための動画データ、及び、撮影コースＣを紹介するための動画データから構成される。なお、記憶部３４０に含まれている撮影コース紹介用の動画データの個数は特に限定されない。
【０１０２】
さらに、記憶部３４０には、移動すべき編集空間からユーザから遠ざかった場合に再生すべき誘導音声データ３４５（「そっちは編集ブースじゃないよ」「反対側に移動してね」等の音声を示す誘導音声データ）が格納されている。
【０１０３】
〔サーバ〕
次に、サーバ４００の構成について、図１４を参照して説明する。図１４は、本実施形態に係るサーバ４００の要部構成を示すブロック図である。図１４に示すように、サーバ４００は、通信部４１０、制御部４２０、及び、記憶部４３０を備えている。
【０１０４】
（通信部、制御部）
通信部４１０は、インターネットなどのネットワークを介して通信を行うインタフェースであり、写真シール作成装置１、及び、携帯端末３００との間で通信を行う。
【０１０５】
制御部４２０は、例えばＣＰＵなどによって構成され、サーバ４００における処理を統合的に制御する。また、制御部４２０は、写真シール作成装置１及び携帯端末３００から取得したデータを記憶部４３０に格納すると共に、写真シール作成装置１及び携帯端末３００に送信すべきデータを記憶部４３０から読み出し、通信部４１０を介して送信する。
【０１０６】
（記憶部）
記憶部４３０は、図１４に示すように、会員情報データベース４３１、及び、履歴データベース４３２を有している。
【０１０７】
会員情報データベース４３１には、写真シール作成装置１を利用するユーザを特定（ユーザ特定情報）する情報が、ユーザ別に格納されている。ユーザ特定情報としては、例えば、図１４に示すように、ユーザの会員ＩＤ、メールアドレス、ニックネーム、生年月日、住所、会員属性、及び、入会日などを挙げることができる。また、会員属性としては、例えば、有料会員及び無料会員などを挙げることができる。
【０１０８】
履歴データベース４３２には、会員情報データベース４３１に格納されているユーザ毎に、写真シール作成装置１を含む１以上の写真シール作成装置における１ゲーム毎の利用履歴が格納されている。利用履歴としては、例えば、図１４に示すように、撮影日、写真シール作成装置１において作成された各画像の画像データ、各画像データを特定する画像ＩＤ、ゲームを行った写真シール作成装置１を特定する機器ＩＤ、及び、ゲームを行った際に選択したコースなどを挙げることができる。
【０１０９】
ここで、撮影日は、ゲームを行った年月日又は日時などであればよい。また、利用履歴として撮影日に代えて画像データが履歴データベースに格納された日（保存日）が格納されていてもよい。
【０１１０】
また、会員情報データベース４３１に格納されている各ユーザと、履歴データベース４３２に格納されている履歴情報とは、例えば、ユーザＩＤなどによって関連づけられている。
【０１１１】
以上、図２の情報管理システムに含まれる、写真シール作成装置１００、携帯端末３００、及び、サーバ４００の各構成について説明した。
【０１１２】
（情報管理システムの会員登録動作）
次に、あるユーザが会員登録を行う際の図２の情報管理システムの動作について図１５を参照しながら説明する。
【０１１３】
図１５は、図２の情報管理システムの会員登録動作を示すシーケンス図である。なお、図１５に示す例においては、ユーザは、対象アプリケーションを、予め携帯端末３００にダウンロードしているものとする。
【０１１４】
携帯端末３００は、ユーザから対象アプリケーションを起動（実行）する入力操作を受け付けると、対象アプリケーションを起動する（Ｓ１０１）。
【０１１５】
Ｓ１０１の後、携帯端末３００は、少なくとも会員登録をするために必要な会員情報の入力を、ユーザから受け付ける（Ｓ１０２）。
【０１１６】
Ｓ１０２の後、ユーザから会員情報の入力を受け付けた携帯端末３００は、当該会員情報をサーバ４００に送信する（Ｓ１０３）。
【０１１７】
Ｓ１０３の後、携帯端末３００から会員情報を受信したサーバ４００は、当該会員情報を会員情報データベース４３１に保存する（Ｓ１０４）。
【０１１８】
Ｓ１０４の後、会員情報データベース４３１に会員情報を保存したサーバ４００は、保存した会員情報を携帯端末３００に送信する（Ｓ１０５）。
【０１１９】
Ｓ１０５の後、サーバ４００から会員情報を受信した携帯端末３００は、当該会員情報を会員情報データベース３４１に保存する（Ｓ１０６）。
【０１２０】
以上の手順により、ユーザの会員登録が完了する。上述のように、サーバ４００に保存された会員情報を携帯端末３００の記憶部に保存することにより、携帯端末３００は、サーバ４００を介することなく、写真シール作成装置１の備える無線通信ユニット１５０を介して会員情報の送信を行うことができる。
【０１２１】
なお、Ｓ１０２における「会員登録をするために必要な会員情報」とは、会員登録されたユーザを特定することが可能な情報であって、ユーザによる入力が必須な情報のことを意味している。例えば、ユーザのメールアドレス、ニックネーム、及び、生年月日は、入力が必須な情報として設定し、例えば、住所などの情報は、入力が必須ではない情報として設定してもよい。
【０１２２】
また、すでに会員登録がされているユーザが、登録されている会員情報を更新する場合においても、同様の手順により実現可能である。上記の場合には、例えば、Ｓ１０１にて、ユーザＩＤ及びパスワードの入力を受け付けることにより、対象アプリケーションを起動する構成としてもよい。また、上記の場合には、Ｓ１０２にてユーザが入力する会員情報は、ユーザが更新を所望する会員情報のみとする構成であればよい。
【０１２３】
（情報管理システムのゲーム進行動作）
次に、３人のメンバ（ユーザＡ、ユーザＢ、及び、ユーザＣ）からなるあるグループが写真シール作成装置１の設置場所に来てからそのグループが写真シール作成装置１において１ゲームを終えるまでの図２の情報管理システムの動作について図１６及び図１７を参照しながら説明する。
【０１２４】
図１６は、図２の情報管理システムの上記動作を示すシーケンス図である。また、図１７は、図１６のシーケンス図の一工程（再認証処理工程）における写真シール作成装置１の動作を詳細に示すフローチャートである。
【０１２５】
制御部２０１は写真シール作成装置１の周囲の通信機器を定期的に検出しているが、上記グループが写真シール作成装置１の設置場所に来ると、制御部２０１は、グループのメンバが所有する通信機器（携帯端末３００）を検出する（Ｓ２０１）。
【０１２６】
Ｓ２０１の後、制御部２０１は、検出した各通信機器に対し、無線通信ユニット１５０Ａを介して会員情報の送信を指示するデータを送信し（Ｓ２０２）、各通信機器はこのデータを受信する（Ｓ２０３）。このデータを受信した通信機器のうち、記憶部に対象アプリケーションがインストールされ会員情報が保存された通信機器（例えば、図１６の携帯端末ａ）は、会員情報を写真シール作成装置１に送信する（Ｓ２０４）。ここで、図１６の携帯端末ａは、携帯端末３００の一具体例に係る端末である。
【０１２７】
Ｓ２０４の後、無線通信ユニット１５０Ａを介して会員情報を受信した写真シール作成装置１のＵＩ提示処理部２０１１は、会員情報（厳密には会員情報に含まれるニックネーム）を含むＵＩ画面を事前接客部１４のタブレット内蔵モニタ１４１に表示する（Ｓ２０５）。例えば、Ｓ２０４においてＡさんの会員情報、Ｂさんの会員情報、および、Ｃさんの会員情報が送信された場合、ＵＩ提示処理部２０１１は、図１８に示すＵＩ画面をタブレット内蔵モニタ１４１に表示する。
【０１２８】
なお、Ｓ２０５において、ＵＩ提示処理部２０１１は、無線通信ユニット１５０Ａが感知した電波の強度が相対的に高い通信機器のユーザのニックネームを、上記強度が相対的に低い通信機器のユーザのニックネームよりも優先的にＵＩ画面内に表示してもよい。
【０１２９】
Ｓ２０５の後、操作受付処理部２０１４は、上記グループのメンバ全員のニックネームが過不足なくＵＩ画面内に表示されているか否かを回答する操作を受け付ける（Ｓ２０６）。
【０１３０】
そして、ＵＩ提示処理部２０１１は、Ｓ２０６で受け付けた操作が上記グループのメンバ全員のニックネームが過不足なくＵＩ画面内に表示されている旨を回答する操作であるか否かを判定する（Ｓ２０７）。
【０１３１】
Ｓ２０６で受け付けた操作が上記グループのメンバ全員のニックネームが過不足なくＵＩ画面内に表示されている旨を回答する操作であると判定された場合（例えば、図１８のＵＩ画面においてユーザがＹＥＳボタンを押した場合）、写真シール作成装置１は、撮影空間Ａ１に進むように促すメッセージをタブレット内蔵モニタ１４１に表示した上で、Ｓ２０９に進む。
【０１３２】
一方、Ｓ２０６で受け付けた操作が上記グループのメンバ全員のニックネームが過不足なくＵＩ画面内に表示されていない旨を回答する操作であると判定された場合（例えば、図１８のＵＩ画面においてユーザがＮＯボタンを押した場合）、写真シール作成装置１は、Ｓ２０８に進む。
【０１３３】
以下、Ｓ２０８について参照する図面を図１７に代えて詳細に説明する。
【０１３４】
図１７は、図１６のＳ２０８における写真シール作成装置１の動作を詳細に示すフローチャートである。
【０１３５】
図１６のＳ２０７において、Ｓ２０６で受け付けた操作が上記グループのメンバ全員のニックネームが過不足なくＵＩ画面内に表示されていない旨を回答する操作であると判定された場合、写真シール作成装置１は、写真シール作成装置１を利用して一緒に遊戯を行うグループを構成するユーザを、再度特定するための再認証処理を開始する。写真シール作成装置１が再認証処理を開始すると、ＵＩ提示処理部２０１１は、図１９の（ａ）のＵＩ画面をタブレット内蔵モニタ１４１に表示する（Ｓ３０１）。
【０１３６】
Ｓ３０１の後、写真シール作成装置１は、ユーザからの操作を更に受け付け、受け付けた操作が、ＵＩ画面内に表示されているメンバにさらにメンバを追加する操作であるか否かを判定する（Ｓ３０２）。
【０１３７】
Ｓ３０２において、受け付けた操作がＵＩ画面内に表示されているメンバにさらにメンバを追加する操作であると判定された場合（例えば、図１９の（ａ）のＵＩ画面において、ユーザが「追加：周辺検索」、または「追加：アドレス入力」を押した場合）、写真シール作成装置１は、Ｓ３０３に進む。
【０１３８】
一方、受け付けた操作がＵＩ画面内に表示されているメンバにさらにメンバを追加する操作でないと判定された場合（例えば、図１９の（ａ）のＵＩ画面において、ユーザが「削除」を押した場合）、写真シール作成装置１は、Ｓ３１２に進む。
【０１３９】
Ｓ３０３において、写真シール作成装置１は、ユーザからの情報の入力を受け付け、入力された情報が、メンバを自動で追加する指示であるか否かを判定する（Ｓ３０３）。
【０１４０】
Ｓ３０３において、Ｓ３０１で受け付けた操作がメンバを自動で追加する操作であると判定された場合（例えば、図１９の（ａ）のＵＩ画面において、ユーザが「追加：周辺検索」を押した場合）、写真シール作成装置１は、Ｓ３０４に進む。
【０１４１】
一方、Ｓ３０１で受け付けた操作がメンバを自動で追加する操作でないと判定された場合（例えば、図１９の（ａ）のＵＩ画面において、ユーザが「追加：アドレス入力」を押した場合）、写真シール作成装置１は、Ｓ３１０に進む。
【０１４２】
Ｓ３０４において、ＵＩ提示処理部２０１１は、図１９の（ｃ）のＵＩ画面を表示する（Ｓ３０４）。
【０１４３】
Ｓ３０４の後、制御部２０１は、携帯端末の数を検出する際に使用する電波強度に関する閾値を、現在の値よりも低く設定する（Ｓ３０５）。なお、写真シール作成装置１は、この閾値以上の強度の電波を写真シール作成装置１まで届かせるような携帯端末の数を検出するようになっている。
【０１４４】
Ｓ３０５の後、制御部２０１は、会員情報の再取得を行う（Ｓ３０６）。Ｓ３０６における会員情報の再取得処理は、図１６のＳ２０１〜Ｓ２０４までの処理と同様に行えばよい。
【０１４５】
Ｓ３０６の後、無線通信ユニット１５０Ａを介して会員情報を受信した写真シール作成装置１のＵＩ提示処理部２０１１は、会員情報を含むＵＩ画面（例えば、図１９の（ｄ）のＵＩ画面）を事前接客部１４のタブレット内蔵モニタ１４１に表示する（Ｓ３０７）。
【０１４６】
Ｓ３０７の後、操作受付処理部２０１４は、上記グループのメンバ全員のニックネームが過不足なくＵＩ画面内に表示されているか否かを回答する操作を受け付ける（Ｓ３０８）。
【０１４７】
そして、ＵＩ提示処理部２０１１は、Ｓ３０８で受け付けた操作が上記グループのメンバ全員のニックネームが過不足なくＵＩ画面内に表示されている旨を回答する操作であるか否かを判定する（Ｓ３０９）。
【０１４８】
Ｓ３０８で受け付けた操作が上記グループのメンバ全員のニックネームが過不足なくＵＩ画面内に表示されている旨を回答する操作であると判定された場合、ＵＩ提示処理部２０１１は、撮影空間Ａ１に進むように促すメッセージをタブレット内蔵モニタ１４１に表示した上で、再認証処理を終了する、すなわち、図１６のＳ２０９に進む。
【０１４９】
一方、Ｓ３０８で受け付けた操作が上記グループのメンバ全員のニックネームが過不足なくＵＩ画面内に表示されていない旨を回答する操作であると判定された場合、写真シール作成装置１は、Ｓ３０２に処理を戻す。
【０１５０】
また、Ｓ３０３において、Ｓ３０１で受け付けた操作がメンバを自動で追加する操作でないと判定された場合、ＵＩ提示処理部２０１１は、追加するメンバのメールアドレスの入力を促すＵＩ画面をタブレット内蔵モニタ１４１に表示し（Ｓ３１０）、操作受付処理部２０１４が、ユーザからメールアドレスの入力を受け付ける（Ｓ３１１）。
【０１５１】
Ｓ３１１において、ユーザからメールアドレスの入力を受け付けると、ＵＩ提示処理部２０１１は、図１６のＳ２０５にて表示した会員情報に加え、Ｓ３１１にて取得したメールアドレスをタブレット内蔵モニタ１４１に表示する（Ｓ３０７）。なお、個人情報保護の観点から、Ｓ３１１にて取得したメールアドレスの一部を伏せて表示することが好ましい。なお、Ｓ３１１にて取得したメールアドレスに加えて、生年月日を表示してもよい。
【０１５２】
また、Ｓ３０２において、Ｓ３０１で受け付けた操作がＵＩ画面内に表示されているメンバにさらにメンバを追加する操作でないと判定された場合（例えば、図１９の（ａ）のＵＩ画面において、ユーザが「削除」を押した場合）、ＵＩ提示処理部２０１１は、削除するメンバの選択操作を促すＵＩ画面（例えば、図１９の（ｂ）のＵＩ画面）をタブレット内蔵モニタ１４１に表示する（Ｓ３１２）。そして、操作受付処理部２０１４が、ユーザからの入力操作を受け付ける（Ｓ３１３）。なお、Ｓ３１２において、削除するメンバの選択操作を促すＵＩ画面を表示する構成としているが、表示された会員情報のうち、グループを構成するメンバの選択操作を促すＵＩ画面を表示する構成としてもよい。
【０１５３】
Ｓ３１３において、ユーザからメンバの選択操作の入力を受け付けると、ＵＩ提示処理部２０１１は、Ｓ３１３において選択されたメンバを示す会員情報をタブレット内蔵モニタ１４１に表示する（Ｓ３０７）。
【０１５４】
以上の手順により、写真シール作成装置１は、写真シール作成装置１を利用する上記グループを構成するユーザを正確に特定することができる。
【０１５５】
Ｓ２０８の後、Ｓ２０９において、操作受付処理部２０１４は、硬貨が投入されたか否かを判定する。操作受付処理部２０１４は、硬貨が投入されたと判定するまでＳ２０９の判定処理を繰り返す。
【０１５６】
なお、操作受付処理部２０１４は、無線通信ユニット１５０Ａが携帯端末３００を検出してから一定時間が経過するまでに硬貨が投入されたと判定しなかった場合、操作受付処理部２０１４は、一定時間が経過しても硬貨が投入されていない旨を示す情報をＵＩ提示処理部２０１１及び／又はガイド情報提示処理部２０１２に供給してもよい。
【０１５７】
そして、当該情報を受け取ったＵＩ提示処理部２０１１は、硬貨の投入を促すメッセージ（例えば、「コインを投入してね」というメッセージ）をタッチパネルモニタ９３に表示してもよい。また、当該情報を受け取ったガイド情報提示処理部２０１２は、無線通信ユニット１５０Ｂを介して、グループの各メンバの携帯端末３００に対し、硬貨の投入を促すメッセージを表示するように指示してもよい。なお、これらの処理により、グループのメンバが写真シール作成装置１の設置場所に居座ることをある程度抑制することができ、結果として、写真シール作成装置１の利用回転率が上がるという効果が得られる。
【０１５８】
操作受付処理部２０１４がＳ２０９において硬貨が投入されたと判定すると、写真シール作成装置１は、上記グループを被写体とする撮影処理の工程（Ｓ２１０）に進む。
【０１５９】
Ｓ２１０において、メンバは、利用する撮影コースを選択する操作を行った上で、撮影を指示する操作を行う。その結果、写真シール作成装置１は、上記グループを被写体とする撮影画像を生成することになる。
【０１６０】
なお、Ｓ２１０において、メンバが撮影コースを選択する操作を行った後に、ガイド情報提示処理部２０１２は、選択された撮影コース以外の撮影コースの紹介用動画データを再生するよう指示する指示情報であって、どの撮影コースが選択されたかを示す情報を含む指示情報を、グループの各メンバの携帯端末３００に送信してもよい。そして、指示情報を受信した各携帯端末３００のアプリケーション制御部３３１は、指示情報を参照し、選択された撮影コース以外の任意の撮影コースの紹介用動画データを記憶部３４０から読み出し、読み出した動画データを再生することで紹介動画（案内情報）を表示部３５０に表示してもよい。
【０１６１】
また、Ｓ２１０の開始後からメンバにより撮影が指示されるまでの任意の時点（例えば、硬貨が投入された直後）において、ガイド情報提示処理部２０１２は、無線通信ユニット１５０Ｂを介して、撮影方法または撮影ポーズに関するガイド情報を各メンバの携帯端末３００に送信してもよい。そして、各メンバの携帯端末３００のアプリケーション制御部３３１は、受信したガイド情報を表示部３５０に表示してもよい。
【０１６２】
上記撮影方法に関するガイド情報は、ユーザが選択可能な複数の撮影方法をユーザに提示するための情報であってもよい。そして、当該ガイド情報を受信した携帯端末３００にインストールされている対象アプリケーションは、ユーザに提示された複数の撮影方法の中から所望の撮影方法を選択する操作を受け付けられるように実装されていてもよい。そして、対象アプリケーションが当該操作を受け付けると、アプリケーション制御部３３１は、選択された撮影方法に従った撮影を行うように指示するコマンドを近距離無線通信により写真シール作成装置１に送信してもよい。無線通信ユニット１５０Ｂを介して当該コマンドを受信した写真シール作成装置１のＵＩ提示処理部２０１１は、選択された撮影方法を示す内容をタッチパネルモニタ９３に表示し、撮影処理部２０８は、選択された撮影方法に応じた撮影を行ってもよい。
【０１６３】
写真シール作成装置１は、Ｓ２１０の完了後、生成された撮影画像を編集する編集処理の工程（Ｓ２１１）に進むが、Ｓ２１０の完了前、又は、Ｓ２１０の完了後であってＳ２１１に進む前に以下の処理１〜処理３のうちの少なくとも１つ以上の処理を行ってもよい。
【０１６４】
具体的には、撮影前に誘導案内が行われるように写真シール作成装置１を構成する場合に処理１を行ってもよく、撮影後に誘導案内が行われるように写真シール作成装置１を構成する場合に処理２を行ってもよく、撮影直後、又は、撮影後の誘導案内中に、処理３を行ってもよい。
【０１６５】
（処理１）
ガイド情報提示処理部２０１２は、編集ブース空き状況情報を参照して空いている１つ以上の編集ブースを特定し、特定した１つ以上の編集ブースの中から上記グループに利用させるべき編集ブースを自動的に１つ選択する。例えば、編集ブース空き状況情報が図２１の（ａ）に示すような情報である場合、ガイド情報提示処理部２０１２は、編集ブースＡ２−１を選択し、図２１の（ａ）に示す編集ブース空き状況情報における「空き」と記録されている部分を「使用中（ユーザＡ、ユーザＢ、ユーザＣ）」に更新する。なお、図２１の（ａ）に示す編集ブース空き状況情報における「空き」と記録されている部分を「使用中」に更新してもよい。また、ガイド情報提示処理部２０１２は、上記グループに利用させるべき編集ブースを、特定した１つ以上の編集ブースの中からランダムに選択してもよい。
【０１６６】
そして、ガイド情報提示処理部２０１２は、上記グループが次に利用すべき編集ブースがどの編集ブースであるかを示すガイド情報を、無線通信ユニット１５０Ｂを介して、各メンバの携帯端末３００に送信する。前述の例に即して言えば、ガイド情報提示処理部２０１２は、次に利用すべき編集ブースが編集ブースＡ２−１である旨を示すガイド情報を各メンバの携帯端末３００に送信する。そして、各メンバの携帯端末３００のアプリケーション制御部３３１は、受信したガイド情報を表示部３５０に表示する。
【０１６７】
（処理２）
ユーザ位置特定部２０１５は、グループの各メンバの携帯端末３００の位置を繰り返し特定する。そして、ユーザ位置特定部２０１５がグループのあるメンバの携帯端末３００が次に当該グループが利用すべき編集ブースとは異なる編集ブースに移動したことを特定した場合、ガイド情報提示処理部２０１２は次の処理を行う。
【０１６８】
すなわち、ガイド情報提示処理部２０１２は、当該メンバが利用すべき編集ブースに当該メンバを移動させるためのガイド情報（具体的には、図２１の（ｂ）に示す誘導音声データ）を、無線通信ユニット１５０Ｃを介して当該メンバの携帯端末３００に送信する。そして、誘導音声データを受信した携帯端末３００は、「反対側に移動してね」という音声を内蔵スピーカ（図示せず）から出力する。
【０１６９】
なお、ガイド情報は映像データ（例えば、「反対側に移動してね」というテキストを含む映像データ、図示せず）であってもよい。この場合、映像データを受信した携帯端末３００は、「反対側に移動してね」というテキストを含む映像を表示部３５０に表示してもよい。また、ガイド情報提示処理部２０１２は、映像データや誘導音声データを携帯端末３００に送信し、送信した映像データや誘導音声データを携帯端末３００に再生させてもよいが、以下のような処理を行ってもよい。
【０１７０】
すなわち、ガイド情報提示処理部２０１２は、無線通信ユニット１５０Ｃを介して、記憶部３４０に予め保存されている誘導音声データ３４５や映像データ（図示せず）を携帯端末３００に再生させるための情報を、携帯端末３００に送信してもよい。
【０１７１】
あるいは、ガイド情報提示処理部２０１２は、ガイド情報である映像データが示す映像を写真シール作成装置１のモニタ（好ましくは、上記あるメンバが移動した編集ブースのモニタ）に表示してもよい。
【０１７２】
また、ガイド情報提示処理部２０１２は、写真シール作成装置１のスピーカから誘導音声を出力してもよい。あるいは、写真シール作成装置１及び／又は携帯端末３００のスピーカからの誘導音声の出力と携帯端末３００の表示部３５０における映像（ガイド情報である映像データが示す映像）の表示との両方を実行させるための処理を行ってもよい。
【０１７３】
（処理３）
画像送受信処理部２０１３は、無線通信ユニット１５０Ｂを介して、グループの各メンバの像を含む撮影画像の画像データを各メンバの携帯端末３００に送信する。
【０１７４】
以上、処理１〜処理３について説明した。なお、処理１及び処理２により、グループのメンバがスムーズにゲームを進行させることが可能になり、結果として、写真シール作成装置１の利用回転率が上がるという効果が得られる。
【０１７５】
Ｓ２１０の完了後、Ｓ２１１において、制御部２０１は、Ｓ２１０で得られた撮像画像の画像データが開かれた状態の編集画面をタブレット内蔵モニタ１３１に表示し、メンバによる編集操作の内容に応じた編集処理を撮像画像に施す。その結果、写真シール作成装置１は、編集処理を施すことにより得られた編集済み画像をＲＡＭ２０７に保存することになる。なお、編集画面には、名前スタンプを撮像画像に貼り付けるために必要なニックネーム入力欄が１つ又は複数設けられていてもよいし、編集済み画像の送信先となるメールアドレスの入力欄が１つ又は複数設けられていてもよい。また、各入力欄は、Ｓ２０８までに特定された人数分だけ設けられるようにしてもよい。
【０１７６】
また、Ｓ２１１の工程は、上記グループのメンバが編集部１２のタブレット内蔵モニタ１３１にタッチペンを接触させたことをトリガとして開始してもよい。あるいは、Ｓ２１１の工程は、グループのあるメンバの携帯端末３００が次に当該グループに利用されるべき編集ブースに移動したことをユーザ位置特定部２０１５が特定したことをトリガとして開始してもよい。
【０１７７】
また、Ｓ２１１の工程では、Ｓ２０５までに取得済の各会員情報について、会員情報に含まれているメールアドレスをメールアドレスの入力欄内に表示してもよいし、会員情報に含まれているニックネームをニックネーム入力欄内に表示してもよい。これにより、写真シール作成装置１は、上記グループのメンバにタッチペンを用いたニックネーム及び／又はメールアドレスの入力の手間をかけさせることなく、名前スタンプの編集画像への貼り付け、及び／又は、編集済み画像のメンバへの配信を行うことができる。なお、ＵＩ提示処理部２０１１は、無線通信ユニット１５０Ｃが感知した電波の強度が相対的に高い携帯端末３００を使用するメンバのニックネームを、上記強度が相対的に低い通信機器を使用するメンバのニックネームよりも優先的に、メールアドレスの入力欄内及び／又はニックネーム入力欄内に表示してもよい。
【０１７８】
また、Ｓ２１１の工程では、Ｓ２１０で得られた撮像画像だけでなく、各メンバの携帯端末３００に保存されている撮像画像を編集できるようになっていてもよい。すなわち、Ｓ２１１の開始後、画像送受信処理部２０１３は、メンバの携帯端末３００から１つ以上の撮像画像を取得し、取得した１つ以上の撮像画像の各々のサムネイルを編集画面内に表示してもよい。そして、ユーザによりサムネイルが選択された場合、ＵＩ提示処理部２０１１は、選択されたサムネイルに対応する撮像画像を開いて編集画面内に表示してもよい。
【０１７９】
更に、Ｓ２１１の工程では、ＵＩ提示処理部２０１１は、画像送受信処理部２０１３が取得した各メンバの撮像画像を加工してスタンプ画像を生成してもよい。そして、ＵＩ提示処理部２０１１は、ユーザによりスタンプ画像を貼り付ける操作が行われた場合、Ｓ２１０で得られた撮像画像上にスタンプ画像を貼り付けてもよい。
【０１８０】
Ｓ２１１の工程が完了すると、写真シール作成装置１は、Ｓ２１２に進む。
【０１８１】
Ｓ２１２において、制御部２０１は、編集済み画像と、会員（有料会員又は無料会員）である各メンバの会員情報、及び／又は、会員でない各メンバのメールアドレス（Ｓ３１１で取得されたメールアドレス）と、を含むデータを、通信部２０３を介してサーバ４００に送信する。
【０１８２】
Ｓ２１３において、サーバ４００は、編集済み画像と、会員（有料会員又は無料会員）である各メンバの会員情報、及び／又は、会員でない各メンバのメールアドレスと、を含むデータを、写真シール作成装置１から受信し、受信したデータを、記憶部４３０に保存する。
【０１８３】
サーバ４００は、Ｓ２１３において受信したデータの示す各メンバが、会員であるか否か、すなわち、当該メンバが所有する携帯端末に対象アプリケーションがダウンロードされているか否を判定する（Ｓ２１４）。
【０１８４】
サーバ４００は、Ｓ２１４において会員であると判定されたメンバについて、Ｓ２１５の処理を行う。すなわち、サーバ４００は、当該メンバが所有する携帯端末ａの対象アプリケーションに送信するデータを記憶部４３０から呼び出す（Ｓ２１５）。ここで、携帯端末ａの対象アプリケーションに送信するデータには、例えば、サーバ４００に保存された編集済み画像を取得するためのＵＲＬを示すデータが含まれる。また、会員であると判定されたメンバが、無料会員である場合には、携帯端末ａの対象アプリケーションに送信するデータに有料会員の登録を行うためのＵＲＬを含めることにより、当該メンバに対して有料会員の登録を促すように構成してもよい。
【０１８５】
なお、図１６に示す例においては、会員であると判定されたメンバが所有する携帯端末ａのアプリケーションにデータを送信する構成としているが、当該メンバの会員情報を参照して、当該メンバが登録しているメールアドレスに対して、上記のデータが含まれたメールを送信する構成としてもよい。
【０１８６】
サーバ４００は、携帯端末ａの対象アプリケーションにＳ２１５にて呼び出したデータを送信する（Ｓ２１６）。
【０１８７】
携帯端末ａは、サーバ４００から送信されたデータを受信する（Ｓ２１７）。
【０１８８】
Ｓ２１７にてデータを受信した携帯端末ａを所有するユーザが、サーバ４００に保存された編集済み画像を取得する旨の操作指示を入力すると、携帯端末ａは、サーバ４００に、当該画像の取得指示を送信する（Ｓ２１８）。
【０１８９】
携帯端末ａから画像の取得指示を受信したサーバ４００は、サーバ４００に保存された編集済み画像を呼び出し（Ｓ２１９）、携帯端末ａに当該画像を送信する（Ｓ２２０）。
【０１９０】
携帯端末ａは、サーバ４００から送信された画像を受信し、表示部に受信した画像を表示する。
【０１９１】
サーバ４００は、Ｓ２１４において会員ではないと判定されたメンバについて、Ｓ２２２の処理を行う。すなわち、サーバ４００は、当該メンバのメールアドレス（携帯端末ｂのメールアドレス）に、サーバ４００に保存された編集済み画像を取得するためのメールを送信する（Ｓ２２２）。ここで、携帯端末ｂに送信するメールには、例えば、サーバ４００に保存された編集済み画像を取得するためのＵＲＬが含まれる。また、携帯端末ｂに送信するメールに対象アプリケーションをダウンロードするためのＵＲＬを含めることにより、携帯端末ｂを所有するユーザに会員登録を促すように構成してもよい。
【０１９２】
携帯端末ｂは、サーバ４００から送信されたメールを受信する（Ｓ２２３）。
【０１９３】
Ｓ２２３にてメールを受信した携帯端末ｂを所有するユーザが、サーバ４００に保存された編集済み画像を取得する旨の操作指示（すなわち、メールに含まれるＵＲＬにアクセスする旨の操作指示）を入力すると、携帯端末ｂは、サーバ４００に、当該画像の取得指示を送信する（Ｓ２２４）。
【０１９４】
携帯端末ｂから画像の取得指示を受信したサーバ４００は、サーバ４００に保存された編集済み画像を呼び出し（Ｓ２１９）、携帯端末ｂに当該画像を送信する（Ｓ２２０）。
【０１９５】
携帯端末ｂは、サーバ４００から送信された画像を受信し、表示部に受信した画像を表示する（Ｓ２２５）。
【０１９６】
以上の手順により、あるグループが写真シール作成装置１の設置場所に来てからそのグループが写真シール作成装置１において１ゲームを終えるまでの図２の情報管理システムの動作が完了する。
【０１９７】
以上のように、図２の情報管理システムでは、写真シール作成装置１が、上記グループを構成するユーザとして特定されたユーザが所有する携帯端末に対して、生成した画像を示す画像データを送信することができる。
【０１９８】
（写真シール作成装置１の利点）
以上のように、写真シール作成装置１には、通信可能な範囲内に近づいた通信機器との間でユーザによるペアリング操作を必要とすることなく自動的に通信する機能を備えた無線通信ユニット１５０が取り付けられており、無線通信ユニット１５０（無線通信ユニット１５０が取り付けられている位置）を中心とし、無線通信ユニット１５０の仕様上の最大通信距離を半径とする範囲内に、写真シール作成装置１全体が含まれている。ここでの「中心」とは、無線通信ユニット１５０の仕様上の最大通信距離を半径とする範囲の中心のことを指している。
【０１９９】
上記の構成によれば、写真シール作成装置１は、その設置場所に来たユーザに当該ユーザの通信機器と写真シール作成装置１との間の通信を可能にすることを目的とする動作を行わせることなく、当該通信機器との通信を行うことができる、という効果を奏する。
【０２００】
なお、無線通信ユニット（１５０Ａ、１５０Ｂ、１５０Ｃ）を複数設置する場合（ブース毎に設置する場合）、各無線通信ユニット（Ｂｅａｃｏｎ）の設置位置を中心に通信範囲がそれぞれ設けられるため、各ブースが電波を遮蔽する（すなわち、ブース外に無線通信ユニットからの電波が漏れない）構造になっているような写真シール作成装置についても、写真シール作成装置全体を通信範囲とすることができる。
【０２０１】
（写真シール作成装置１の別の利点）
従来の写真シール作成装置に設けられている非接触型ＩＣリーダ／ライタの通信距離は非常に短いため、従来の写真シール作成装置では、ブースに設けられている非接触型ＩＣリーダ／ライタが、そのブースでユーザが行うべき作業を完了させるためにしか用いられていなかった。例えば、特許文献１の写真シール作成装置では、撮影ブースに非接触型ＩＣリーダ／ライタ（電子マネー読取・書込部）が設けられているが、この非接触型ＩＣリーダ／ライタは、撮影ブースでユーザが行うべき決済を完了させるためにしか用いられていなかった。
【０２０２】
したがって、従来の写真シール作成装置は、あるブースを出た後、移動すべき次のブースに移動していないユーザ（非接触型ＩＣリーダ／ライタが通信可能な範囲の外にいるユーザ）の携帯機器に対して、そのユーザを移動すべき次のブースに誘導させるための映像及び／又は音声を出力させることができなかった。
【０２０３】
これに対し、本実施形態に係る写真シール作成装置１に設けられている無線通信ユニット１５０の通信距離は長いため、本実施形態に係る写真シール作成装置１は、上記のようなユーザの携帯機器に対して、そのユーザを移動すべき次のブースに誘導させるための映像及び／又は音声を出力させることができる、という効果を奏する。
【０２０４】
（付記事項１）
写真シール作成装置の撮影空間Ａ１には複数の無線通信ユニット１５０（望ましくは３個以上の無線通信ユニット１５０）が設けられていてもよい。例えば、撮影空間Ａ１の四隅に無線通信ユニット１５０が設けられていてもよい。この場合、ユーザ位置特定部２０１５は、Ｓ２１０において、撮影空間Ａ１の四隅の無線通信ユニット１５０の各々が感知した携帯端末３００からの電波の強度に基づいて、携帯端末３００の位置を特定してもよい。これにより、写真シール作成装置は、Ｓ２１０において携帯端末３００を携帯しているユーザが撮影空間Ａ１内のどの位置に居るかを正確に特定することができる。
【０２０５】
また、この場合、写真シール作成装置は、Ｓ２１０において、以下の処理４又は処理５を行ってもよい。
【０２０６】
（処理４）
照明制御部２２３は、ユーザ位置特定部２０１５が特定した携帯端末３００の位置に基づいて、携帯端末３００を携帯しているユーザとカメラ９１との間の距離（撮影距離）を算出してもよい。そして、照明制御部２２３は、撮影距離に応じた量のストロボ光（撮影光）をストロボに発光させる。例えば、照明制御部２２３は、算出した撮影距離が１ｍ２５ｃｍである場合、図２０（ｂ）のストロボ光量情報を参照し、多量のストロボ光をストロボに発光させる。
【０２０７】
（処理５）
ガイド情報提示処理部２０１２は、ユーザ位置特定部２０１５が特定した携帯端末３００の位置（すなわち、携帯端末３００を携帯しているユーザの位置）に応じて、撮影空間Ａ１内のどの位置に立つべきかをユーザに指示する音声（アナウンス音声データが示す音声）の内容を決定し、決定した内容の音声をスピーカ２２４から出力させる。
【０２０８】
なお、ガイド情報提示処理部２０１２は、ユーザ位置特定部２０１５が特定した携帯端末３００の位置が記憶部２０２に記録されている撮影定位置情報によって示される位置から見てどの方向にあるかを特定してもよい。ここで、撮影定位置情報とは、最適な撮影を行うためにユーザが立つべき位置を示す情報である。
【０２０９】
この場合、ガイド情報提示処理部２０１２は、特定した方向がどの方向であるかに基づいて出力すべき音声の内容を決定し、決定した内容の音声をスピーカ２２４から出力させてもよい。例えば、特定した方向が撮影定位置情報によって示される位置から見て右斜め後の方向である場合、図２０（ａ）に示されている８つのアナウンス音声のうちの「左斜め前に移動してね」というアナウンス音声をスピーカ２２４から出力させてもよい。
【０２１０】
（付記事項２）
写真シール作成装置の撮影空間Ａ１には複数の無線通信ユニット１５０Ｂを設けた場合、Ｓ２１０の完了後であってＳ２１１の開始前に、以下の処理を行ってもよい。
【０２１１】
すなわち、ユーザ位置特定部２０１５は、グループの各メンバの携帯端末３００の位置を繰り返し特定することにより、各メンバの移動方向を特定してもよい。
【０２１２】
そして、ガイド情報提示処理部２０１２は、あるメンバの移動方向が編集空間の位置する方向から遠ざかる方向であることを検出した場合に、編集空間にそのメンバを移動させるためのガイド情報（例えば、「そっちは編集ブースじゃないよ」という音声を示す誘導音声データ）を、無線通信ユニット１５０Ｂを介して当該メンバの携帯端末３００に送信してもよい。そして、誘導音声データを受信した携帯端末３００は、「そっちは編集ブースじゃないよ」という音声を内蔵スピーカ（図示せず）から出力してもよい。
【０２１３】
なお、ガイド情報は映像データ（例えば、「そっちは編集ブースじゃないよ」というテキストを含む映像データ、図示せず）であってもよい。この場合、映像データを受信した携帯端末３００は、「そっちは編集ブースじゃないよ」というテキストを含む映像を表示部３５０に表示してもよい。また、ガイド情報提示処理部２０１２は、映像データや誘導音声データを携帯端末３００に送信し、送信した映像データや誘導音声データを携帯端末３００に再生させてもよいが、以下のような処理を行ってもよい。
【０２１４】
すなわち、ガイド情報提示処理部２０１２は、無線通信ユニット１５０Ｂを介して、記憶部３４０に予め保存されている誘導音声データ３４５や映像データ（図示せず）を携帯端末３００に再生させるための情報を、携帯端末３００に送信してもよい。
【０２１５】
（付記事項３）
同様に、ガイド情報提示処理部２０１２は、事前接客空間での作業を終えたあるメンバの移動方向が撮影空間の位置する方向から遠ざかる方向であることを検出した場合に、撮影空間にそのメンバを移動させるためのガイド情報を、無線通信ユニット１５０Ａを介して当該メンバの携帯端末３００に送信してもよい。
【０２１６】
また、ガイド情報提示処理部２０１２は、編集空間での作業を終えたあるメンバの移動方向が事後接客空間の位置する方向から遠ざかる方向であることを検出した場合に、事後接客空間にそのメンバを移動させるためのガイド情報を、無線通信ユニット１５０Ｃを介して当該メンバの携帯端末３００に送信してもよい。
【０２１７】
（付記事項４）
写真シール作成装置１は、非接触型ＩＣリーダ／ライタを備えていてもよい。
【０２１８】
そして、上記実施形態では、写真シール作成装置１がＳ２０９において硬貨の投入を待ち受ける処理を行ったが、写真シール作成装置１は、Ｓ２０９において、当該処理に代えて、非接触型ＩＣを搭載した機器又はカードが非接触型ＩＣリーダ／ライタへ近接するのを待ち受けてもよい。
【０２１９】
具体的には、写真シール作成装置１は、Ｓ２０８までに特定された人数分の上記機器またはカードの近接を待ち受けてもよい。そして、写真シール作成装置１は、上記機器又はカードが近接する度に、その機器又はカードの残高から、代金を上記人数で割った額だけ引き落とす処理（割り勘決済処理）を行ってもよい。
【０２２０】
また、写真シール作成装置１は、Ｓ２０８までに特定された各メンバの携帯端末３００との間で無線通信ユニット１５０を介した通信（各メンバの携帯端末３００から、代金を上記人数で割った額だけ引き落とすための通信）を行うことにより、割り勘決済処理を行ってもよい。
【０２２１】
（付記事項５）
印刷待ち時間にアドレス（例えば、撮影画像や編集済み画像等の送信先となるアドレス）の入力等をするためのブースである事後接客ブースを写真シール作成装置に設ける場合、事後接客ブースに無線通信ユニット１５０を設置してもよい。
【０２２２】
また、写真シール作成装置１には複数の無線通信ユニット１５０を設置されているが、写真シール作成装置には無線通信ユニット１５０を１つだけ設置してもよい。例えば、写真シール作成装置の事前接客ブースに無線通信ユニット１５０Ａを１つだけ設置してもよいし、写真シール作成装置の撮影ブースに無線通信ユニット１５０Ｂを１つだけ設置してもよい。前述のように、無線通信ユニット１５０の最大通信距離は約５０ｍであるため、無線通信ユニット１５０が１つだけ設置されている写真シール作成装置であっても、無線通信ユニット１５０の通信可能な範囲に写真シール作成装置全体が含まれるからである。
【０２２３】
〔ソフトウェアによる実現例〕
写真シール作成装置１の制御ブロック（特に、制御部２０１）は、集積回路（ＩＣチップ）等に形成された論理回路（ハードウェア）によって実現してもよいし、ＣＰＵ（Central Processing Unit）を用いてソフトウェアによって実現してもよい。
【０２２４】
後者の場合、写真シール作成装置１は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２２５】
〔まとめ〕
本発明の態様１に係る画像生成装置（写真シール作成装置１）は、通信可能な範囲内に近づいた通信機器（携帯端末３００）との間でユーザによるペアリング操作を必要とすることなく自動的に通信する機能を備えた近距離無線通信ユニット（無線通信ユニット１５０）が取り付けられた画像生成装置であって、上記近距離無線通信ユニットを中心とし、上記近距離無線通信ユニットの仕様上の最大通信距離を半径とする範囲内に、上記画像生成装置全体が含まれている。
【０２２６】
上記の構成によれば、上記画像生成装置は、最大通信距離が４〜１０ｃｍ程度の非接触型ＩＣリーダ／ライタを備えた従来の写真シール作成装置（非接触型ＩＣを搭載した機器との間の非接触通信を行わせるためにはユーザが当該機器を非接触型ＩＣリーダ／ライタに近づける必要がある写真シール作成装置）に比べて、遠くにある通信機器とも通信を行うことができる。具体的には、上記画像生成装置は、写真シール作成装置の設置場所に来たユーザに「通信機器を近距離無線通信ユニットに近づける操作」やペアリング操作を行わせることなく、ユーザの通信機器と通信を行うことができる。なお、ペアリング操作とは、「２つの機器が通信のために接続すること」を可能にする操作（例えば、Bluetooth2.0の場合における、機器にパスキーを入力する操作）のことである。
【０２２７】
従って、上記画像生成装置は、その設置場所に来たユーザに当該ユーザの通信機器と上記画像生成装置との間の通信を可能にすることを目的とする動作を行わせることなく、当該通信機器との通信を行うことができる、という効果を奏する。
【０２２８】
本発明の態様２に係る画像生成装置は、上記態様１において、上記近距離無線通信ユニットを介して、上記通信機器から、当該通信機器のユーザを識別する識別情報（会員情報に含まれるニックネーム）を取得する取得手段（制御部２０１）を備えていてもよい。
【０２２９】
上記の構成によれば、上記画像生成装置は、通信可能な範囲内に近づいた通信機器のユーザを識別することができる、という更なる効果を奏する。
【０２３０】
本発明の態様３に係る画像生成装置は、上記態様１または上記態様２において、撮影スペース（撮影空間Ａ１）を含む１つ以上のスペースが設けられており、上記１つ以上のスペースのうちの或るスペースに上記近距離無線通信ユニットが取り付けられており、
当該近距離無線通信ユニットを介して、当該スペース内に位置するユーザの通信機器に向けて、当該スペースに居るユーザに対するガイド情報を送信するガイド情報送信手段（ガイド情報提示処理部２０１２）を備えていてもよい。
【０２３１】
上記の構成によれば、上記画像生成装置は、上記近距離無線通信ユニットが取り付けられているスペースに居るユーザに対してガイド情報を送信する。従って、上記画像生成装置は、上記ユーザに上記画像生成装置を円滑に利用させることできる、という更なる効果を奏する。
【０２３２】
本発明の態様４に係る画像生成装置は、上記態様３において、上記撮影スペースには上記近距離無線通信ユニットが取り付けられており、上記ガイド情報送信手段は、上記画像生成装置が上記ユーザを被写体とする撮影処理を完了する前に、撮影方法または撮影ポーズに関するガイド情報を送信してもよい。
【０２３３】
上記の構成によれば、上記画像生成装置は、撮影スペースに居るユーザに上記画像生成装置を用いて撮影する上での撮影方法または撮影ポーズに関する知識を得させることができる、という更なる効果を奏する。
【０２３４】
本発明の態様５に係る画像生成装置は、上記態様３または上記態様４において、上記ガイド情報送信手段は、上記近距離無線通信ユニットが上記通信機器を検出してから一定時間が経過するまでに上記画像生成装置が料金の投入を認識しなかった場合、料金の投入を促すための情報を上記ガイド情報として送信してもよい。
【０２３５】
上記の構成によれば、上記画像生成装置は、一定時間が経過しても料金を投入しないユーザの通信機器に、料金の投入を促す（すなわち、画像生成装置の利用開始を促す）ための情報を送信する。従って、上記画像生成装置は、ユーザが自装置を長時間占有することをある程度抑制することができ、ひいては、自装置の利用回転率を向上させることができるという効果を奏する。
【０２３６】
本発明の態様６に係る画像生成装置は、上記態様３から上記態様５までのいずれかの態様において、撮影スペース（撮影空間Ａ１）と複数の編集スペース（編集空間Ａ２−１、Ａ２−２）とが設けられており、上記複数の編集スペースの各々について当該編集スペースが空いているか否かを判定する判定手段（ガイド情報提示処理部２０１２）と、上記判定手段により空いていると判定された１つ以上の編集スペースの中から、上記撮影スペースに居るユーザに利用させる編集スペースを自動的に選択する選択手段（ガイド情報提示処理部２０１２）と、を更に備え、上記ガイド情報送信手段は、上記画像生成装置が上記ユーザを被写体とする撮影処理を完了した後に、上記選択手段によって選択された編集スペースに当該ユーザを移動させるための情報を上記ガイド情報として送信してもよい。
【０２３７】
上記の構成によれば、上記画像生成装置は、撮影スペースでの撮影を終えたユーザを、当該ユーザに利用させるべき編集スペースに円滑に移動させることができる、という更なる効果を奏する。
【０２３８】
本発明の態様７に係る画像生成装置は、上記態様１から上記態様６までのいずれかの態様において、上記画像生成装置がユーザを被写体とする撮影処理を完了した後に、当該被写体の像を含む撮影画像を、当該近距離無線通信ユニットを介して上記ユーザの通信機器に向けて送信する画像送受信手段（画像送受信処理部２０１３）を備えていてもよい。
【０２３９】
上記の構成によれば、上記画像生成装置は、撮影スペースでの撮影を終えたユーザを、当該ユーザに利用させるべき編集スペースに円滑に移動させることができる、という更なる効果を奏する。
【０２４０】
本発明の態様８に係る画像生成装置は、上記態様２において、上記取得手段が取得した識別情報を上記画像生成装置に設けられている表示画面（タッチパネルモニタ９３）に表示する識別情報表示手段（ＵＩ提示処理部２０１１）を更に備えていてもよい。
【０２４１】
上記の構成によれば、上記画像生成装置は、自装置を利用しているユーザに、当該ユーザの通信機器が自装置によって認識されていることを知らせることができる、という更なる効果を奏する。
【０２４２】
本発明の態様９に係る画像生成装置は、上記態様８において、上記識別情報表示手段は、上記画像生成装置が複数の上記通信機器を検出した場合に、上記近距離無線通信ユニットが感知した電波の強度が相対的に高い通信機器のユーザを識別する識別情報を、上記強度が相対的に低い通信機器のユーザを識別する識別情報よりも優先的に上記表示画面に表示してもよい。
【０２４３】
上記の構成によれば、上記画像生成装置は、自装置を利用しているユーザの識別情報を、自装置を利用していないが自装置の周辺に居る者の識別情報よりも優先的に上記表示画面に表示する。従って、上記画像生成装置は、自装置を利用しているユーザに、当該ユーザの通信機器が自装置によって認識されていることをより素早く把握させることができる、という更なる効果を奏する。
【０２４４】
本発明の態様１０に係る画像生成装置は、上記態様１から上記態様９までのいずれかの態様において、複数の撮影コースの中から利用する撮影コースを選択する操作を受け付ける操作受付手段（操作受付処理部２０１４）と、上記操作受付手段が上記操作を受け付けた後に、上記通信機器に対し、上記通信機器に保存されている上記複数の撮影コースの各々の案内情報（紹介動画）のうち選択された撮影コース以外の撮影コースの案内情報を表示するように指示する指示手段（ガイド情報提示処理部２０１２）と、を備えていてもよい。
【０２４５】
上記の構成によれば、上記画像生成装置は、ユーザが選択しなかった撮影コースについての知識を当該ユーザに得させることができる、という更なる効果を奏する。また、これによりユーザが選択しなかった撮影コースに興味を示した場合、ユーザは、上記画像生成装置を再度利用してみようという気になる可能性があると考えられる。従って、上記画像生成装置は、自装置の稼働率を向上させることができるという更なる効果を奏すると言える。
【０２４６】
本発明の態様１１に係る画像生成装置は、上記態様１において、複数の上記近距離無線通信ユニットが取り付けられており、上記複数の近距離無線通信ユニットの各々が感知した通信機器からの電波の強度に基づいて、当該通信機器の位置を特定する位置特定手段（ユーザ位置特定部２０１５）を備えていてもよい。
【０２４７】
上記の構成によれば、上記画像生成装置は、上記通信機器を携帯しているユーザの位置を特定することができる、という更なる効果を奏する。
【０２４８】
本発明の態様１２に係る画像生成装置は、上記態様１１において、上記複数の近距離無線通信ユニットが撮影スペースに取り付けられており、上記位置特定手段によって特定された位置に応じた量の撮影光（ストロボ光）を発する発光制御手段（照明制御部２２３）を更に備えていてもよい。
【０２４９】
上記の構成によれば、上記画像生成装置は、ユーザが居る位置に応じた撮影光を発光するので、クオリティの高い撮影画像を生成することができる、という更なる効果を奏する。
【０２５０】
本発明の態様１３に係る画像生成装置は、上記態様１１または上記態様１２において、上記複数の近距離無線通信ユニットが撮影スペースに取り付けられており、上記複数の近距離無線通信ユニットのうちのいずれかの近距離無線通信ユニットを介して、上記撮影スペース内に位置する通信機器に向けて、上記位置特定手段によって特定された位置に応じたガイド情報を送信するガイド情報送信手段（ガイド情報提示処理部２０１２）を更に備えていてもよい。
【０２５１】
上記の構成によれば、上記画像生成装置は、ユーザが居る位置に応じた適切なガイド情報を上記ユーザに知らせることができる、という更なる効果を奏する。
【０２５２】
本発明の態様１４に係る画像生成装置は、上記態様１３において、撮影スペースと編集スペースとが設けられており、上記位置特定手段に上記位置を繰り返し特定させることにより、上記通信機器のユーザの移動方向を特定する移動方向特定手段（ユーザ位置特定部２０１５）を更に備え、上記ガイド情報送信手段は、上記画像生成装置が上記ユーザを被写体とする撮影処理を完了した後における上記移動方向が上記編集スペースから遠ざかる方向であることを検出した場合に、上記編集スペースに当該ユーザを移動させるための情報（誘導音声データ）を上記ガイド情報として送信してもよい。
【０２５３】
上記の構成によれば、上記画像生成装置は、撮影スペースでの撮影を終えたユーザを、当該ユーザに利用させるべき編集スペースに円滑に移動させることができる、という更なる効果を奏する。
【０２５４】
本発明の態様１５に係る画像生成装置は、上記態様１１から上記態様１４までのいずれかの態様において、上記複数の近距離無線通信ユニットが撮影スペースに取り付けられており、上記撮影スペース内のどの位置に立つべきかを指示する音声（アナウンス音声）の内容を上記位置特定手段によって特定された位置に基づいて決定し、決定した内容の音声を出力する音声出力手段（ガイド情報提示処理部２０１２）を更に備えていてもよい。
【０２５５】
上記の構成によれば、上記画像生成装置は、撮影スペースにおいて適切な撮影ができるようにユーザを望ましい立ち位置に移動させることができる。従って、上記画像生成装置は、上記撮影スペースでの撮影の失敗を抑制することができる、という更なる効果を奏する。
【産業上の利用可能性】
【０２５６】
本発明は、写真シール作成装置に好適に利用することができる。
【符号の説明】
【０２５７】
１      写真シール作成装置（画像生成装置）
９１        タッチパネルモニタ（表示画面）
１３１      タブレット内蔵モニタ（表示画面）
１４１      タブレット内蔵モニタ（表示画面）
１５０      無線通信ユニット（近距離無線ユニット）
２０１      制御部（取得手段）
２０１１      ＵＩ提示処理部（識別情報表示手段）
２０１２      ガイド情報提示処理部（ガイド情報送信手段、判定手段、選択手段、
指示手段）
２０１３      画像送受信処理部（画像送信手段）
２０１４      操作受付処理部（操作受付手段）
２０１５      ユーザ位置特定部（位置特定手段、移動方向特定手段）
２２３      照明制御部（発光制御手段）
３００  携帯端末（通信機器）
４００  サーバ
【図１】
2015127722.tif 000003
【図２】
2015127722.tif 000004
【図３】
2015127722.tif 000005
【図４】
2015127722.tif 000006
【図５】
2015127722.tif 000007
【図６】
2015127722.tif 000008
【図７】
2015127722.tif 000009
【図８】
2015127722.tif 000010
【図９】
2015127722.tif 000011
【図１０】
2015127722.tif 000012
【図１１】
2015127722.tif 000013
【図１２】
2015127722.tif 000014
【図１３】
2015127722.tif 000015
【図１４】
2015127722.tif 000016
【図１５】
2015127722.tif 000017
【図１６】
2015127722.tif 000018
【図１７】
2015127722.tif 000019
【図１８】
2015127722.tif 000020
【図１９】
2015127722.tif 000021
【図２０】
2015127722.tif 000022
【図２１】
2015127722.tif 000023